(57)【要約】【課題】本発明は、機器収納用ラックに取り付けられ、安全でラック内の限られた寸法を有効に利用できる電子機器用筐体の構造を提供することを目的としている。【解決手段】本発明に係る電子機器用筐体の構造は、カバー３の天面３ａに電気機器の設定穴５を設けると共に、設定穴５の周縁にねじ挿通孔１２を設け、ねじ挿通孔１２に取り付けねじ１３を挿通することで設定穴カバー７、パネル８、ステー９をそれぞれ固定することができることを特徴とする。【選択図】図１
2005072529.tif 000002
【特許請求の範囲】
【請求項１】
少なくとも、各種電子機器を載置するベースと該カバーを施蓋するカバーとで構成され、機器収納用ラックに取り付けられる電子機器用筐体の構造であって、前記カバーの天面に前記電気機器の設定穴を設けると共に、該設定穴の周縁にねじ挿通孔を設け、該ねじ挿通孔に取り付けねじを挿通することで設定穴カバー、パネル、ステーをそれぞれ固定することができることを特徴とする電子機器用筐体の構造。
【請求項２】
前記電子機器用筐体の構造であって、前記設定穴カバーにはサラモミ加工を施した取り付けねじ貫通穴を、前記パネルにはワッシャー貫通穴を、前記ステーには取り付けねじ穴を設けると共に、前記取り付けねじにはねじ脱落防止ワッシャーを嵌合させて取り付けねじが脱落しないことを特徴とする請求項１に記載の電子機器用筐体の構造。
【発明の詳細な説明】
【技術分野】
【０００１】
本発明は、少なくとも、各種電子機器を載置するベースと該ベースを施蓋するカバーとで構成され、機器収納用ラックに取り付けられる電子機器用筐体の構造に関するものである。
【背景技術】
【０００２】
従来、ラックに取り付けられる筐体３１はベース３２とカバー３３とで構成され、ベース３２に電子機器が載置される。カバー３３は筐体３１の側面を形成するために端部が折曲され、折曲部にはベース３２に固定するためにねじ挿通穴３４が設けられる。カバー３３はベース３２にスライドさせて嵌合し、ねじ３５をねじ挿通穴３４に挿通しカバー３３とベース３２を固定する。
【０００３】
電子機器の設定スイッチもベース３２に載置されカバー３３で被覆されるので、出荷されたあとユーザーの下で機器の設定を行う場合、カバー３３を外して設定スイッチを操作し設定していた。
【非特許文献１】”ネットワーク環境監視装置”［online］、平成１４年４月、河村電器産業株式会社、［平成１５年８月２７日検索］、インターネット＜ＵＲＬ：http://www.kawamura.co.jp/rack/lineup/rp45/index.html＞
【発明の開示】
【発明が解決しようとする課題】
【０００４】
しかしながら、上記従来技術によれば、ユーザーがカバーを外したとき、搭載した基板や電線等が露出し、設定スイッチ以外に不用意に機器に触れてしまう虞があった。また、一旦カバーを外して設定をした後に再びカバーを取り付けるときには、配線用電線の挟み込みや接触が発生しないように、慎重に作業を進める必要があり、作業の効率が非常に悪かった。
【課題を解決するための手段】
【０００５】
そこで本発明は、安全で限られた寸法を有効に利用できる電子機器用筐体の構造を提供することを目的とし、その構造は、カバーの天面に電気機器の設定穴を設けると共に、設定穴の周縁にねじ挿通孔を設け、ねじ挿通孔に取り付けねじを挿通することで設定穴カバー、パネル、ステーをそれぞれ固定することができることを特徴とする。
【０００６】
また、カバーにはサラモミ加工を施した取り付けねじ貫通穴を、パネルにはワッシャー貫通穴を、ステーには取り付けねじ穴を設けると共に、取り付けねじにはねじ脱落防止ワッシャーを嵌合させて取り付けねじが脱落しないことを特徴とする。
【発明の効果】
【０００７】
本発明に係る電子機器用筐体の構造は、筐体内に搭載された電子機器の設定スイッチにより設定する場合に、カバー全てを取り外さず、一部のみ開放し、安全にまた容易に作業できることを特徴とする。
【０００８】
また、筐体の一部を開放する際に、ねじはワッシャーにより落下や紛失を防止することができる。
【発明を実施するための最良の形態】
【０００９】
本発明は、限られたスペースを有効に利用するという目的を、カバーの天面に設定穴を設けることにより、作業性もよく安全な、電子機器用筐体の構造を実現した。
【実施例１】
【００１０】
本発明に係る電子機器用筐体の構造を図１〜図４の添付図面に基づいて説明する。
【００１１】
ラックに取り付けられる電子機器用筐体１は、電子機器を載置するベース２をカバー３で被覆して構成される。カバー３は筐体１の側面を構成するため、端部を折曲形成し、ベース２にカバー３をスライド移動させることで施蓋する。ベース２、カバー３のそれぞれ側面にはねじ穴４を設け、ねじを挿通し締め付けベース２とカバー３とを固定する。
【００１２】
カバー３の天面３ａには設定穴５を設け、電子機器の設定スイッチ６等を一部露出も可能とする。設定穴５は設定穴カバー７で施蓋できる。設定穴カバー７と同時に、パネル８とステー９も筐体１に取り付けるが、パネル８には、略中央部に設定スイッチ６を手で操作できるだけの操作穴１０を設け、ステー９は四方折曲形成し、少なくとも一対の折曲部の端部にフランジ１１を形成してフランジ１１でパネル８を支持する。パネル８の二長辺を溶接等で接合した後、ステー９のフランジ１１も接合し、表面から設定穴カバー７を当て、それぞれに設けられたねじ挿通孔１２に外側より取り付けねじ１３を挿通し締め付け固定する。
【００１３】
取り付けねじ１３を緩めることで設定穴カバー７をカバー３から取り外すことができ、筐体１に収納された設定スイッチ６を露出させ、機器の設定を行うことができる。カバー３全部を取り外すことに比べて作業時間も短縮できる。
【実施例２】
【００１４】
カバー３の天面３ａに設けられた設定穴５を施蓋する設定穴カバー７の取り付け構造であって、設定穴カバー７には、取り付けねじ貫通穴１２ａを設け、この取り付けねじ貫通穴１２ａの周縁には取り付けねじ１３を取り付けたときに頭部が突出しないように、エンボス加工またはサラモミ加工を施す。その取り付けねじ貫通穴１２ａに、取り付けねじ１３を実装し、取り付けねじ１３のねじ部にはワッシャー１４を取り付け、設定穴カバー７から取り付けねじ１３が脱落するのを防止する。パネル８には、取り付けねじ１３に取り付けられたワッシャー１４が挿通できるワッシャー貫通穴１２ｂを設ける。ステー９には、取り付けねじ貫通穴１２ａとワッシャー貫通穴１２ｂとに対向する位置に取り付けねじ穴１２ｃを設ける。
【００１５】
取り付けねじ１３を取り付けねじ貫通穴１２ａ、ワッシャー貫通穴１２ｂ、取り付けねじ穴１２ｃに挿通し、ワッシャー１４はワッシャー貫通穴１２ｂに貫通させ、パネル８とステー９との間に位置させる。取り付けねじ１３にワッシャー１４を取り付けることで、設定穴カバー７の着脱の際に取り付けねじ１３の落下や紛失を防止することができる。また、取り付けねじ１３の頭部を出さずに平らに設定穴カバー７が取り付けられるので、ラックという限られたスペースを有効に利用することができる。
【産業上の利用可能性】
【００１６】
筐体のカバーの設定スイッチに対向する位置に設定穴を設けたことで、設定作業の効率を上げることができ、また、設定穴を施蓋する設定穴カバーは、容易に着脱ができるため、組み立て作業の効率も上げることができる。
【図面の簡単な説明】
【００１７】
【図１】本発明に係る電子機器用筐体の構造を示す斜視図である。（実施例１）
【図２】図１における設定穴部分の分解斜視図である。（実施例１）（実施例２）
【図３】本発明に係る電子機器用筐体の構造において設定穴カバーを外した状態を示す一部断面図である。（実施例１）（実施例２）
【図４】本発明に係る電子機器用筐体の構造において設定穴カバーを取り付けた状態を示す一部断面図である。（実施例１）（実施例２）
【図５】従来技術における電子機器用筐体の構造を示す斜視図である。
【符号の説明】
【００１８】
１      電子機器用筐体
２      ベース
３      カバー
３ａ    天面
４      ねじ穴
５      設定穴
６      設定スイッチ
７      設定穴カバー
８      パネル
９      ステー
１０    操作穴
１１    フランジ
１２    ネジ挿通孔
１２ａ  取り付けねじ貫通穴
１２ｂ  ワッシャー貫通穴
１２ｃ  取り付けねじ穴
１３    取り付けねじ
１４    ワッシャー
【図１】
2005072529.tif 000003
【図２】
2005072529.tif 000004
【図３】
2005072529.tif 000005
【図４】
2005072529.tif 000006
【図５】
2005072529.tif 000007